(57)【要約】      （修正有）【課題】片手で本体部を持ち、その本体部を持った手の親指で操作ボタンを操作して使用する場合でも、携帯電話装置を落としてしまうのを確実に防止することができ、また親指を自由に使うことができる携帯電話装置を提供する。【解決手段】片方の手の親指以外のいずれかの指を指挿通部１５に入れて、下側本体部３を持つ。このときバンド１１は指挿通部１５に入れる指に押されて弾性変形し、そして自らの弾性力によって指に密着する。下側本体部３を持った手の親指で操作ボタンを操作するとき、親指が下側本体部３から離れ親指以外の指で下側本体部３を握ることになるが、バンド１１が指挿通部１５に入れられた指に密着しているため、うっかり指を開いてしまっても下側本体部３は指挿通部１５に入れられた指から離れることがない。【選択図】図２
0003149882.tif 000002
【実用新案登録請求の範囲】
【請求項１】
本体部と、前記本体部の前面に設けられた多数の操作ボタンとを有する携帯電話装置において、本体部には環状の指挿通部が備えられ、手で本体部を持つ際に指を前記指挿通部に入れることを特徴とする携帯電話装置。
【請求項２】
請求項１に記載した携帯電話装置において、指挿通部は本体部の裏面に配置されていることを特徴とする携帯電話装置。
【請求項３】
請求項１または２に記載した携帯電話装置において、指挿通部は弾性変形可能なバンドによって構成されていることを特徴とする携帯電話装置。
【考案の詳細な説明】
【技術分野】
【０００１】
本考案は携帯電話装置に係り、特に指を入れる指挿通部を備えた携帯電話装置に関するものである。
【背景技術】
【０００２】
携帯電話装置は、片手で本体部を持ち、その本体部を持った手の親指で操作ボタンを操作して使用する場合が多い。この場合には、親指が本体部から離れるため、親指とその他の指とで本体部をしっかり握ることができない。従って、何かの拍子で携帯電話装置を落としてしまうという問題がある。また、携帯電話装置を落とさないようにするため、親指を携帯電話装置からあまり遠くに離すことができず自由に使うことができない。
そこで、携帯電話装置を不用意に落としてしまうことを防止するものとして特許文献１に記載されたハンドストラップがある。このハンドストラップは、人差し指と中指の間にストラップ本体を挟み込み、指の後方にストッパーを固定させて携帯電話装置を保持するものである。
【先行技術文献】
【特許文献】
【０００３】
【特許文献１】特開平１１−１５５６２５号公報
【考案の概要】
【考案が解決しようとする課題】
【０００４】
しかしながら、特許文献１に記載されたハンドストラップでは、うっかり指を開いてしまうとストッパーが人差し指と中指の間からすり抜けてしまい、携帯電話装置を落としてしまうおそれがある。
本考案は上記従来の問題点に着目して為されたものであり、片手で本体部を持ち、その本体部を持った手の親指で操作ボタンを操作して使用する場合でも、携帯電話装置を落としてしまうのを確実に防止することができ、また親指を自由に使うことができる携帯電話装置を提供することを、その目的とする。
【課題を解決するための手段】
【０００５】
本考案は上記課題を解決するためになされたものであり、請求項１の考案は、本体部と、前記本体部の前面に設けられた多数の操作ボタンとを有する携帯電話装置において、本体部には環状の指挿通部が備えられ、手で本体部を持つ際に指を前記指挿通部に入れることを特徴とする携帯電話装置である。
【０００６】
請求項２の考案は、請求項１に記載した携帯電話装置において、指挿通部は本体部の裏面に配置されていることを特徴とする携帯電話装置である。
【０００７】
請求項３の考案は、請求項１または２に記載した携帯電話装置において、指挿通部は弾性変形可能なバンドによって構成されていることを特徴とする携帯電話装置である。
【考案の効果】
【０００８】
本考案の携帯電話装置によれば、片手で本体部を持ち、その本体部を持った手の親指で操作ボタンを操作して使用する場合でも、携帯電話装置を落としてしまうのを確実に防止することができ、また携帯電話装置を落とす心配がなくなるのと親指を自由に使うことができることによって、軽敏に操作ボタンにタッチすることができ、指全体に疲労を感じない。
【図面の簡単な説明】
【０００９】
【図１】本考案の実施の形態に係る携帯電話装置の斜視図である。
【図２】図１の携帯電話装置の反対側から見た斜視図である。
【図３】図１の携帯電話装置の側面図である。
【考案を実施するための形態】
【００１０】
本考案の実施の形態に係る携帯電話装置１を図面にしたがって説明する。
図１に示す携帯電話装置１は折畳み式のものである。
符号３は下側本体部を示し、この下側本体部３の前面には多数の操作ボタン５が設けられている。下側本体部３には上側本体部７が図示しない支持軸を介して開閉自在に連結されている。
【００１１】
図２において符号１１は帯状のバンドを示し、このバンド１１はゴム紐が編み込まれたものであり、バンド１１は矢印の方向に弾性変形可能となっている。バンド１１は下側本体部３の裏面１３に配置されており、バンド１１の上端部が下側本体部３の上端部に、バンド１１の下端部が下側本体部３の下端部に接着剤によってそれぞれ固定されている。図３に示すようにバンド１１は、その途中部分が僅かに弛んだ状態となっている。このバンド１１と下側本体部３の裏面１３とによって環状の指挿通部１５が構成されている。
【００１２】
次に携帯電話装置１の使用方法について説明する。
携帯電話装置１を使用する場合には、図１に示すように下側本体部３に対し上側本体部７が開く状態にする。そして、片方の手の親指以外のいずれかの指を指挿通部１５に入れて、下側本体部３を持つ（図２参照）。このときバンド１１は指挿通部１５に入れる指に押されて弾性変形し、そして自らの弾性力によって指に弾接する。
次に、下側本体部３を持った手の親指で操作ボタン５を操作する。このとき、親指が下側本体部３から離れ親指以外の指で下側本体部３を握ることになるが、前述のようにバンド１１が指挿通部１５に入れられた指に弾接しているため、うっかり指を開いてしまっても下側本体部３は指挿通部１５に入れられた指から離れることがない。従って、携帯電話装置１を落としてしまうのを確実に防止することができる。また、携帯電話装置１を握る力が加わらないため、親指の動作が楽であり軽敏なタッチ操作ができる。
【００１３】
以上、本考案の実施の形態について詳述してきたが、具体的構成は、この実施の形態に限られるものではなく、本考案の要旨を逸脱しない範囲における設計の変更などがあっても考案に含まれる。
上記実施の形態は、携帯電話装置１を折畳み式のものとしたが、折畳み式のものに限定されず、ストレート式やスライド式のものとしてもよい。
上記実施の形態は、指挿通部１５をバンド１１と下側本体部３の裏面１３とによって構成したが、例えば、環状のバンド１１を用いて指挿通部１５をバンド１１のみで構成してもよい。
上記実施の形態は、バンド１１を下側本体部３の裏面１３に配置したが、バンド１１を本体部の側面に配置してもよい。
上記実施の形態は、バンド１１をゴム紐が編み込まれたものとしたが、バンド１１は弾性変形可能であればよく、バンド１１全体をゴム製のもので構成してもよい。
上記実施の形態は、接着剤によってバンド１１を本体部に固定したが、例えば、粘着テープ等を用いてバンド１１を本体部に着脱可能に固定してもよい。
【産業上の利用可能性】
【００１４】
本考案は、携帯電話装置の製造業において利用することが可能である。
【符号の説明】
【００１５】
１…携帯電話装置      ３…下側本体部
５…操作ボタン        ７…上側本体部
１１…バンド          １３…裏面
１５…指挿通部
【図１】
0003149882.tif 000003
【図２】
0003149882.tif 000004
【図３】
0003149882.tif 000005